(57)【要約】【課題】従来の固定フレームレートにおける映像技術を、可変フレームレートの映像に対して使用した場合の映像品位の低下を抑制する。【解決手段】取得部（１２）と、補正部（１３）とを備えた映像処理装置（１０）であって、取得部（１２）は映像信号を取得し、補正部（１３）は、映像信号に、フレーム間隔が変動し得る映像信号が含まれていると判断した場合、映像信号に対する補正の度合いを弱めるか、又は、補正をオフにする。【選択図】図１
2019184743.tif 000002
【特許請求の範囲】
【請求項１】
取得部と、補正部とを備えた映像処理装置であって、
上記取得部は映像信号を取得し、
上記補正部は、
上記取得部が取得した映像信号に、フレーム間隔が変動し得る映像信号が含まれているか否かを判断し、
フレーム間隔が変動し得る映像信号が含まれていると判断した場合に、
上記取得部が取得した映像信号に対する補正の度合いを弱めるか、又は、上記取得部が取得した映像信号に対する補正をオフにする
ことを特徴とする映像処理装置。
【請求項２】
上記補正部は、上記取得部が取得した映像信号を参照して、上記取得部が取得した映像信号におけるフレーム間隔の変動を検知する
ことを特徴とする請求項１に記載の映像処理装置。
【請求項３】
上記補正部は、
上記取得部が取得した映像信号に含まれるメタデータ、又は、当該映像信号に付随して取得する制御信号を参照して、上記取得部が取得した映像信号に、フレーム間隔が変動し得る映像信号が含まれているか否かを判断する
ことを特徴とする請求項１又は２に記載の映像処理装置。
【請求項４】
上記補正部は、上記映像信号が示すコンテンツの種別に応じて、上記取得部が取得した映像信号に、フレーム間隔が変動し得る映像信号が含まれているか否かを判断する
ことを特徴とする請求項１から３の何れか１項に記載の映像処理装置。
【請求項５】
上記補正部が適用する補正処理には、オーバードライブ、ディザリング、及び、シャドー補正の少なくとも何れかが含まれる
ことを特徴とする請求項１から４の何れか１項に記載の映像処理装置。
【請求項６】
取得部と、補正部と、ユーザ操作受付部とを備えた映像処理装置であって、
上記取得部は映像信号を取得し、
上記ユーザ操作受付部は、補正部による補正の度合いに関するユーザ操作を受け付け、
上記補正部は、
上記取得部が取得した映像信号に対して、上記ユーザ操作が示す補正の度合いで、補正処理を行い、
上記補正部による補正処理には、
オーバードライブ、ディザリング、及びシャドー補正の少なくとも何れかが含まれる
ことを特徴とする映像処理装置。
【請求項７】
装置による映像処理方法であって、
映像信号を取得する取得ステップと、
上記取得ステップにおいて取得した映像信号に、フレーム間隔が変動し得る映像信号が含まれているか否かを判断し、
フレーム間隔が変動し得る映像信号が含まれていると判断した場合に、
上記取得ステップにおいて取得した映像信号に対する補正の度合いを弱めるか、又は、上記取得ステップにおいて取得した映像信号に対する補正をオフにする補正ステップと
を含むことを特徴とする映像処理方法。
【請求項８】
請求項１から６までの何れか１項に記載の映像処理装置を備えていることを特徴とするテレビジョン受像機。
【請求項９】
請求項１から６までの何れか１項に記載の映像処理装置としてコンピュータを機能させるための制御プログラムであって、上記取得部及び上記補正部としてコンピュータを機能させるための制御プログラム。
【請求項１０】
請求項９に記載の制御プログラムを記録したコンピュータ読み取り可能な記録媒体。
【発明の詳細な説明】
【技術分野】
【０００１】
本発明の一様態は、映像処理装置、映像処理方法、テレビジョン受像機、制御プログラム、及び記録媒体に関する。
【背景技術】
【０００２】
近年、可変的なタイミングにより走査が可能な、Ｇ−ＳＹＮＣ（登録商標）対応の液晶表示装置が知られている。また、可変フレームレートの映像を伝送可能な通信インターフェース規格として、ＨＤＭＩ２．１（登録商標）が知られている。
【０００３】
以下の特許文献１では、入力された可変フレームレートの映像信号に対して適切な電圧設定を行うディスプレイ装置が開示されている。また、以下の特許文献２では、転写の発生を抑制可能な表示制御装置が開示されている。
【先行技術文献】
【特許文献】
【０００４】
【特許文献１】特願２０１５−５５２８８２号公報（２０１３年１月１４日公開）
【特許文献２】国際公開第２０１６／１７１０６９号（２０１６年１０月２７日公開）
【発明の概要】
【発明が解決しようとする課題】
【０００５】
しかしながら、上述のような従来技術は、オーバードライブ、ディザリング、又はシャドー補正等、従来からの固定フレームレートにおける映像技術を、従来通りに可変フレームレートの映像に対して適用した場合、一時的に画面の一部が明るくなり過ぎる等の不具合が生じ、映像品位が低下することがあるという問題がある。
【０００６】
本発明の一態様は、上記の問題に鑑みてなされたものであり、従来の固定フレームレートにおける映像技術を、可変フレームレートの映像に対して使用した場合の映像品位の低下を抑制することを目的とする。
【課題を解決するための手段】
【０００７】
上記の課題を解決するために、本発明の一態様に係る映像処理装置は、取得部と、補正部とを備えた映像処理装置であって、上記取得部は映像信号を取得し、上記補正部は、上記取得部が取得した映像信号に、フレーム間隔が変動し得る映像信号が含まれているか否かを判断し、フレーム間隔が変動し得る映像信号が含まれていると判断した場合に、上記取得部が取得した映像信号に対する補正の度合いを弱めるか、又は、上記取得部が取得した映像信号に対する補正をオフにする。
【発明の効果】
【０００８】
本発明の一態様によれば、従来の固定フレームレートにおける映像技術を、可変フレームレートの映像に対して使用した場合の映像品位の低下を抑制できる。
【図面の簡単な説明】
【０００９】
【図１】本実施形態に係るテレビジョン受像機の機能ブロック図である。
【図２】オーバードライブ補正の動作を示す図である。
【図３】実施形態１の処理の流れを示すフローチャートである。
【図４】液晶表示装置の表示画面の各部分領域の明度を示す図である。
【図５】実施形態２の処理の流れを示すフローチャートである。
【図６】実施形態３に係る補正部における画像信号処理回路を模式的に示すブロック図である。
【図７】液晶表示装置における一列目および二列目の画素と、一列目の画素の両側に配置される二本のソースラインとを模式的に示す図である。
【図８】液晶表示装置の対象の画素のソース電位の１フレーム間における変動を模式的に示す図である。
【図９】（ａ）は、本発明の実施形態１の液晶表示装置において補正部による補正がなされていない場合の画素のソース電位の一例を示す図であり、（ｂ）は、上記実施形態１の液晶表示装置において補正部が算出する補正値の一例を示す図であり、（ｃ）は、上記実施形態１の液晶表示装置において補正部によってソース電圧が補正された場合の画素のソース電位の一例を示す図である。
【図１０】（ａ）は、１フレーム反転でソース電圧を印加する液晶表示装置におけるソース電位の、前のフレーム分から次のフレーム分までの期間での変動を模式的に示す図であり、（ｂ）は、（ａ）のうちの、現時点からその次の１フレーム分までの期間でのソース電位の変動を模式的に示す図である。
【図１１】ソース電位の変動において、ブランキング期間が生じた場合の例を示す図である。
【図１２】フレームレートが変動する映像信号の入出力を示す図である。
【発明を実施するための形態】
【００１０】
本発明の実施形態について図１〜図１２を参照して説明すれば以下の通りである。
【００１１】
〔実施形態１〕
以下、本発明の一実施形態について、図１〜図３を参照して説明する。本実施形態においては、映像信号のフレームレートに応じて、オーバードライブ処理の度合いを制御する構成について説明する。
【００１２】
（テレビジョン受像機１の構成）
図１は、本実施形態に係るテレビジョン受像機１の機能ブロック図である。図１に示す通り、テレビジョン受像機１は、映像処理装置１０、テレビ制御部１４、及び表示部１６を備える。テレビジョン受像機１は、映像出力装置１００等の外部の装置から入力された映像を、又図１には図示しないチューナーを介してテレビ放送を、表示する装置である。
【００１３】
映像処理装置１０は、取得した映像信号に対して、映像品位を高める補正を行う装置であって、装置制御部１１を備える。装置制御部１１は、映像処理装置１０全体を統括する制御装置であって、取得部１２及び補正部１３としても機能する。取得部１２は、映像出力装置１００等の外部の装置から映像信号を取得する。補正部１３は、取得部１２が取得した映像信号に対するオーバードライブ補正処理を行う。なお、当該オーバードライブ補正処理は、補正部１３が、表示部１６による画面表示処理に干渉することにより実現される。オーバードライブ補正の詳細については後述する。
【００１４】
テレビ制御部１４は、テレビジョン受像機１全体を統括する制御装置であって、表示制御部１５としても機能する。表示制御部１５は、表示部１６の画面表示処理に係る処理を行う。表示部１６は、動画像を表示する表示パネルである。
【００１５】
映像出力装置１００は、映像信号を供給する装置である。当該映像信号は、映像出力装置１００が生成する構成でもよい。映像出力装置１００の例としては、ゲーム機等が挙げられる。
【００１６】
なお、テレビジョン受像機１が備える各部材は単数であることに限定されず、複数の当該部材を備える構成でもよい。
【００１７】
（オーバードライブ補正処理）
以下、図２を参照して、本実施形態の前提となるオーバードライブ補正（オーバードライブ駆動）の処理の一例について、オーバードライブ補正機能を有する液晶表示装置を例に挙げて説明する。
【００１８】
図２の各図は、オーバードライブ補正の動作を示す図である。オーバードライブ補正とは、液晶素子に対する印加電圧を一時的に高め、液晶素子が所望の画素電圧に達するまでの時間、つまり所望の明度の色を発色するまでの時間を短縮する技術である。
【００１９】
ここで、図２の各図において、グラフの横軸は時間（秒）を表す。また、液晶表示装置は、１／６０秒ごとに画面のリフレッシュを行う。換言すると、液晶表示装置のリフレッシュレートは、６０Ｈｚである。また、直線により構成された波形は、液晶素子に印加する電圧である出力階調を表し、曲線を含む波形は、時間の経過に伴う液晶応答、つまり当該液晶素子の発色度合いあるいは輝度を表す。
【００２０】
図２（ａ）は、液晶表示装置に入力される映像信号のフレームレートが変動しない場合におけるオーバードライブ補正の動作を示す図である。
【００２１】
図２（ａ）に示す例において、液晶素子には、電圧を印加し始めてから１フレーム後、つまり１／６０秒後に所望の明度に達する印加電圧、換言すると、縦軸のＢの値に対応する所望の画素電圧に達するように設定された印加電圧であって、図中のＢよりも高いＣの値に対応する印加電圧が最初に加えられている。なお、点線の曲線を含む波形は、オーバードライブ補正を用いない場合における液晶応答を表す。オーバードライブ補正を行わない場合、液晶素子には、最初からＢの値に対応する電圧が印加される。
【００２２】
図２（ｂ）は、液晶表示装置に入力される映像信号フレーム間隔が変動した場合における、オーバードライブ補正の動作を示す図である。図２（ｂ）に示す例においては、Ｃの値に対応する電圧を液晶素子に印加する時間が図２（ａ）の場合よりも長い。従って、一時的に液晶素子の画素電圧が、Ｂの値に対応する所望の画素電圧よりも高くなる。つまり、一時的に当該液晶素子の明度が所望の値よりも高くなり、映像品位が低下する虞がある。
【００２３】
図２（ｃ）は、図２（ｂ）のオーバードライブの補正処理の度合いを弱めた場合における、液晶表示装置の動作を示す図である。液晶表示装置は、入力される映像信号に、フレーム間隔が変動し得る映像信号が含まれていると判断した場合、図２（ｃ）に示すように、液晶素子に加える印加電圧を、Ｂの値に対応する電圧以上の範囲において、予め設定された分、低くするように制御する。換言すると、液晶表示装置は、上記映像信号に対するオーバードライブ補正の度合いを弱める。あるいは、上述した場合に、液晶表示装置は、上記映像信号に対するオーバードライブ補正をオフにしてもよい。
【００２４】
図２（ｃ）に示す構成によれば、一部の液晶が明るくなりすぎることに由来する映像品位の低下を抑制することができる。
【００２５】
（処理の流れ）
図１の構成を用いた本実施形態における処理の流れについて、図１〜図３を参照してステップごとに説明する。図３は、本実施形態の処理の流れを示すフローチャートである。
【００２６】
（Ｓ１０１）
ステップＳ１０１において、取得部１２は、映像出力装置１００から映像信号を取得する。
【００２７】
（Ｓ１０２）
続いて、ステップＳ１０２において、補正部１３は、ステップＳ１０１において取得部１２が取得した映像信号のフレームレートが前回のステップＳ１０２における判定から変動したか否かを判定する。フレームレートが変動した場合、続いてステップＳ１０３の処理が実行され、フレームレートが変動していない場合、続いてＳ１０４の処理が実行される。なお、最初に本ステップに遷移した場合、続いてステップＳ１０４の処理が実行される。
【００２８】
（Ｓ１０３）
ステップＳ１０３において、補正部１３は、図２（ｃ）を参照して上述したように、映像信号に対するオーバードライブ補正の度合いを弱めることを決定する。あるいは、本ステップにおいては、補正部１３が、上記映像信号に対するオーバードライブ補正をオフにすることを決定する構成でもよい。
【００２９】
（Ｓ１０４）
ステップＳ１０４において、補正部１３は、映像信号に対して通常のオーバードライブ補正処理を行うことを決定する。
【００３０】
（Ｓ１０５）
ステップＳ１０５において、表示制御部１５は、ステップＳ１０１において取得部１２が取得した映像信号が示す映像を表示させる。なお、当該映像の表示においては、補正部１３が、ステップＳ１０３又はステップＳ１０４において決定した度合いによるオーバードライブ補正を施す。
【００３１】
テレビジョン受像機１は、上述したステップＳ１０１からステップＳ１０５までの処理を、ユーザが所定の終了操作を行うまで繰り返し実行する。以上が図３のフローチャートに基づく処理の流れである。
【００３２】
〔実施形態２〕
本発明の第２の実施形態について、以下に説明する。本実施形態においては、映像信号のフレームレートに応じて、ディザリング処理のオン／オフを制御する構成について説明する。なお便宜上、上記実施形態にて説明した部材と同じ機能を有する部材については、同じ符号を付記し、説明を省略する。
【００３３】
（テレビジョン受像機１の構成）
本実施形態においても、図１に示す構成を用いる。ただし、本実施形態に係る補正部１３は、ディザリング補正処理を行う機能を有する。
【００３４】
（ディザリング補正処理）
以下、図４を参照して、本実施形態の前提となるディザリング補正の処理と、表示画面に生じ得る明度の偏りとについて、ディザリング補正機能を有する液晶表示装置を例に挙げて説明する。
【００３５】
ディザリングとは、異なる色の画素をバラバラに混ぜて配置することで、中間色を表現する技術である。ディザリングを行うことにより、例えば２色の画素だけを用いてグラデーションを表現することができる。
【００３６】
しかしながら、ディザリング処理が施された領域には、少ない色数の画素が特定のパターンにより配置されており、拡大した場合は勿論、当該領域が必要以上に明るくなった場合にもディザリングのパターンが目立つ場合がある。
【００３７】
一方、表示装置に入力される映像信号のフレームレートが変動した場合、画面の一部が一時的に明るく見える場合がある。以下、上述した場合の一例を簡略化したモデルにより説明する。
【００３８】
図４は、液晶表示装置の表示画面の各部分領域の明度を示す図である。図４（ａ）及び図４（ｂ）の各グラフは、上から順に表示領域Ｉ〜ＩＶに対応し、グラフの横軸は時間（秒）を表す。また、当該液晶表示装置のリフレッシュレートは通常６０Ｈｚであるが、入力される映像信号のフレームレートに応じたタイミングにより、走査を行うことが可能である。また、表示画面の部分領域ＩからＩＶまでに対して、所定の補正が順番に施される。ここで、当該補正が施されている間、当該部分領域の輝度値が５１２から５１３に上昇するものとする。
【００３９】
図４（ａ）は、フレームレートが変動しない場合における、表示画面の各部分領域の明度を示す図である。例えば表示領域Ｉは、１フレーム目において輝度値が５１３、他の３フレームにおいては輝度値が５１２である。結果、４フレーム分における輝度値の累算値は、２０４９となる。他の部分領域ＩＩ〜ＩＶにおいても何れかの１フレーム分の間、輝度値が５１３であり、他の３フレームにおいては輝度値が５１２であるので、同様に輝度値の累算値は、２０４９となる。
【００４０】
また、１フレーム目においては、部分領域Ｉの輝度値が５１３、他の部分領域ＩＩ〜ＩＶの輝度値が５１２であるので、画面全体での輝度値の累算値は、２０４９となる。２〜４フレーム目においても、何れかの部分領域の輝度値が５１３、他の部分領域の輝度値が５１２であるので、画面全体での輝度値の累算値は、２０４９となる。各フレームの画面切り替えは高速で行われる為、上述した４フレーム間において、通常、各部分領域間に明度の偏りは無いように見える。
【００４１】
図４（ｂ）は、フレームレートが変動した場合における表示画面の各部分領域の明度を示す図である。図４（ｂ）に示す例においても、各フレームにおいて、何れかの部分領域の輝度値が５１３、他の部分領域の輝度値が５１２であるので、画面全体での輝度値の累算値は、２０４９となる。
【００４２】
一方で、表示領域Ｉは、図４（ａ）に示した場合よりも輝度値が５１３である時間が長い。従って、４フレーム間における表示領域Ｉの輝度値の累算値は、２０４９を上回り、他の表示領域ＩＩ〜ＩＶの輝度値の累算値よりも高くなる。また、表示領域ＩＩは、図４（ａ）に示した場合よりも輝度値が５１３である時間が短い。従って、４フレーム間における表示領域ＩＩの輝度値の累算値は、２０４９を下回り、他の表示領域Ｉ、ＩＩＩ、ＩＶの輝度値の累算値よりも低くなる。
【００４３】
結果、上述した４フレーム間において、表示領域Ｉだけが他の表示領域ＩＩ〜ＩＶよりも明度が高く見え、ディザリングのパターンが目立つ虞がある。
【００４４】
液晶表示装置は、入力される映像信号に、フレーム間隔が変動し得る映像信号が含まれていると判断した場合、映像信号に対するディザリング補正をオフにすることにより、映像品位の低下を抑制することができる。
【００４５】
（処理の流れ）
図１の構成を用いた本実施形態における処理の流れについて、図１及び図５を参照してステップごとに説明する。図５は、本実施形態の処理の流れを示すフローチャートである。
【００４６】
（Ｓ１０１、Ｓ１０２）
ステップＳ１０１及びステップＳ１０２においては、実施形態１と同様の処理を行う。ステップＳ１０１において取得部１２が取得した映像信号のフレームレートが、前回のステップＳ１０２における判定から変動した場合、続いてステップＳ２０３の処理が実行され、フレームレートが変動していない場合、続いてＳ２０４の処理が実行される。なお、最初に本ステップに遷移した場合、続いてステップＳ２０４の処理が実行される。
【００４７】
（Ｓ２０３）
続いて、ステップＳ２０３において、補正部１３は、入力された映像信号に対するディザリング補正をオフにする。
【００４８】
（Ｓ２０４）
ステップＳ２０４において、補正部１３は、映像信号に対してディザリング補正を施す。
【００４９】
（Ｓ２０５）
ステップＳ２０５において、表示制御部１５は、ステップＳ１０１において取得部１２が取得した映像信号が示す映像を表示させる。
【００５０】
テレビジョン受像機１は、上述したステップＳ１０１からステップＳ２０５までの処理を、ユーザが所定の終了操作を行うまで繰り返し実行する。以上が図３のフローチャートに基づく処理の流れである。
【００５１】
〔実施形態３〕
本発明の第３の実施形態について、以下に説明する。本実施形態においては、映像信号のフレームレートに応じて、シャドー補正のオン／オフを制御する構成について説明する。なお便宜上、上記実施形態にて説明した部材と同じ機能を有する部材については、同じ符号を付記し、説明を省略する。
【００５２】
（テレビジョン受像機１の構成）
本実施形態においても、図１に示す構成を用いる。ただし、本実施形態に係る補正部１３は、図６に示す構成、及びシャドー補正処理を行う機能を有する。
【００５３】
図６は、本実施形態に係る補正部１３における画像信号処理回路を模式的に示すブロック図である。補正部１３は、入力部３１、階調電圧変換部３２、垂直電圧積算部３３、基準電圧積算部３４、加減算部３５、係数乗算部３６、補正値算出部３７、補正値加算部３８および出力部３９を含む。
【００５４】
また、本実施形態に係るテレビジョン受像機１は、１フレームごとに液晶素子への印加電圧の極性を反転させるフレーム反転駆動方式により画面表示を行う。
【００５５】
（表示制御の概要）
以下、図６〜図１０を参照して、本実施形態の前提となるシャドー補正の処理と、シャドー補正に用いるパラメータの算出方法について、シャドー補正機能を有する液晶表示装置を例に挙げて項目ごとに説明する。当該液晶装置は、本実施形態に係るテレビジョン受像機１と同様に、補正部１３を備える。
【００５６】
補正部１３は、対象の画素２０のソース電位の次の１フレームにおける変位量（次の１フレーム分の変位量）を用いて対象の画素２０のソース電位の補正値を算出する。上記対象画素のソース電圧の上記変位量の算出以外は、補正部１３による上記対象画素へ印加されるソース電圧の補正値の算出は、例えば、特許文献２に記載されているような公知の方法によって行うことが可能である。
【００５７】
まず、入力部３１には、液晶表示装置において表示する画像の画像データが入力される。入力部３１は、当該画像データを後段の階調電圧変換部３２に出力する。
【００５８】
階調電圧変換部３２は、入力部３１から入力された画像データ（入力階調）をソース電圧に変換する。たとえば、階調電圧変換部３２は、共通電極の電位（Ｖｃｏｍ）を基準とし、それより低い電圧をマイナス、それより高い電圧をプラスとするＬＵＴ（ルックアップテーブル）を用いて上記入力階調をソース電圧に変換する。階調電圧変換部３２は、当該ソース電圧を後段の垂直電圧積算部３３および基準電圧積算部３４に出力する。
【００５９】
垂直電圧積算部３３および基準電圧積算部３４、それらの後段の加減算部３５における作業については、後述する。これらにより、対象の画素２０のソース電位の次の１フレームにおける変位量が求められる。加減算部３５は、上記変位量を後段の係数乗算部３６に出力する。
【００６０】
係数乗算部３６は、上記変位量に係数を乗算し、当該係数を乗じた上記変位量を後段の補正値算出部３７に出力する。上記係数は、例えば、画素２０の全体の容量（ΣＣ）に対する、画素２０におけるソースラインＳ１による寄生容量（Ｃｓｏｕ１）の比（Ｃｓｏｕ１／ΣＣ）である。
【００６１】
補正値算出部３７は、係数乗算部３６で求められた上記変位量と画素２０の階調とから補正値（補正階調）を算出し、後段の補正値加算部３８に出力する。
【００６２】
補正値加算部３８は、表示画像の階調に、補正値算出部３７による補正値（補正階調）を加算する。こうして、補正値加算部３８は、補正後の出力階調を算出し、出力部３９に出力する。
【００６３】
なお、補正値算出部３７によって算出される補正値は、正、負のいずれの数であり得る。たとえば、画素２０のソース電位が、画素２０を明るくする方向にずれている場合には、上記補正値は負の数になり、暗くなる方向にずれている画素２０では、上記補正値が正の数になる。
【００６４】
出力部３９は、補正値加算部３８からの補正された出力階調をソースドライバに送る。
【００６５】
（変位量の算出法）
次いで、補正部１３が行う上記対象画素のソース電位の変位量の算出方法について説明する。当該変位量の算出は、垂直電圧積算部３３および基準電圧積算部３４、それらの後段の加減算部３５より行われる。
【００６６】
補正部１３は、対象の画素２０のソース電位の次の１フレームにおける変位量（次の１フレーム分の変位量）を、対象の画素２０の書き込みタイミングを起点としたときの、対象の画素２０のソース電位の過去１フレーム分の積算値を参照して算出する。
【００６７】
１フレーム分の垂直走査に要する時間は、例えば、毎秒６０フレームのフレームレートとした場合、１／６０秒間という非常に短い時間である。よって、動画、静止画のいずれにおいても、あるフレームにおけるソース電位は、その前のフレームのソース電位のよい近似になっている。よって、上記変位量を求めるにあたって、例えば、現時点に対して次の１フレーム分の積算値を、その前の１フレーム分の積算値に置き換えることが実質的には可能である。このように、直近の実際の１フレーム分のソース電位の積算量を参照することにより、次の１フレーム分の積算値を、それを実際に算出するための多大な処理をせずに、より簡易な処理によって得ることができる。
【００６８】
上記変位量を求めるための上記積分値の用い方は、当該変位量を求めることが可能な範囲において適宜に決めることが可能である。たとえば、補正部１３は、対象の画素２０のソース電位の次の１フレーム分の変位量を、二つの積分値の差により算出する。第一の積分値は、対象の画素２０の書き込みタイミングを起点としたときの過去１フレーム分の期間における対象の画素２０の実際のソース電位の積算値である。第二の積分値は、対象の画素２０の書き込みタイミングを起点としたときのソース電位を１フレーム分の期間、積算した値である。
【００６９】
次に、上記第一および第二の積算値の求め方を説明する。図７は、液晶表示装置における一列目および二列目の画素と、一列目の画素の両側に配置される二本のソースラインとを模式的に示す図である。図７は、一例として、４３２０行の画素を有する液晶表示装置における一列目の画素２０と、画素２０においてゲートラインに接続されるべき二本のソースラインＳ１、Ｓ２とを示している。また、図８は、液晶表示装置の対象の画素のソース電位の１フレーム間における変動を模式的に示す図である。図８において、Ｖｓはソース電位を表し、Ｖｃｏｍは共通電極の電位を表す。また、図８において、Ｖｃｏｍよりも上側のソース電位Ｖｓの極性（符号）を＋（プラス）、Ｖｃｏｍよりも下側のソース電位Ｖｓの極性（符号）を−（マイナス）とする。
【００７０】
画素２０の列では、最初の行である１行目の画素２０から最後の行である４３２０行目の画素２０に対し、一垂直走査期間内に、ソースドライバからソース電圧が順次印加される。ある列に属する全ての画素２０に対してソース電圧が一回印加されるために要する期間を１フレーム、または一垂直走査期間と言う。そして、現在、ｆフレームのｎ行目（１≦ｎ≦４３２０）の画素２０にソース電位が書き込まれている、とする。
【００７１】
上記第一の積分値は、前述したように、実際にソース電圧が印加された画素２０における過去１フレーム分の期間のソース電位の積算値である。当該第一の積算値は、画素２０におけるソース電位Ｖｓ１の、ｆ−１フレームのｎ行目から４３２０行目までの積算値、および、ｆフレームにおける１行目からｎ行目までの積算値、の和である。
【００７２】
上記第二の積分値は、前述したように、対象の画素２０の書き込みタイミングを起点としたときのソース電位を、１フレーム分の期間積算した値である。当該第二の積算値は、ｆフレームのｎ行目の画素２０におけるソース電位Ｖｓ１（ｆ，ｎ）の、ｆフレームのｎ行目から４３２０行目までの積算値、および、ｆ＋１フレームにおける１行目からｎ行目までの積算値、の和である。
【００７３】
そして、対象の画素２０のソース電位の変位量、すなわちｆ＋１フレームにおけるｎ行目の画素２０のソース電位の変位量、は、前述したように、上記第一の積分値および前記第二の積分値の差により算出される。ｎ行目の画素２０における、ｆフレームでの変位量は、下記式（１）で表され、図８では斜線部Δｃの面積で表される。ｎ行目の画素２０における、ｆ＋１フレームでの変位量は、下記式（２）で表され、図８では斜線部Δｄの面積で表される。よって、上記対象の画素２０の電位の変位量（ΔＶｓ１（ｆ＋１，ｎ））は、式（３）によって求められる。
【００７４】
【数１】
2019184743.tif 000003
【００７５】
【数２】
2019184743.tif 000004
【００７６】
【数３】
2019184743.tif 000005
【００７７】
典型的には、垂直電圧積算部３３が、実際にソース電圧が印加された画素における所期の１フレーム分の期間のソース電位の積算値を求める。また、基準電圧積算部３４が、基準となるソース電位の上記期間の積算値を求める。そして、加減算部３５が、これらの積算値を必要に応じて計算処理し、当該積分値の差分を求める。
【００７８】
対象となる画素２０のソース電位の変位量は、上記式（１）〜（３）に示されるように、フレームごとに分けて上記積分値の差を求め、次いで各フレームにおける当該差を足すことによって算出されてもよい。あるいは、上記変位量は、１フレーム分の期間におけるそれぞれの積算値を求めたのちにそれらを加減することによって算出されてもよい。
【００７９】
また、上記対象の画素２０のソース電位の変位量は、実際のソース電位（上記式のＶｓ１（ｋ））から基準となるソース電位（上記式のＶｓ１（ｆ，ｎ））を引いた差分を画素２０ごとに算出し、当該差分を１フレーム分積算することによって算出されてもよい。この場合、補正部１３は、垂直電圧積算部３３、基準電圧積算部３４および加減算部３５に代えて、上記差分の積算値を求める適当な構成を有していてもよい。たとえば、上記の場合、補正部１３は、画素２０ごとの上記差分を求める減算部と、求められた差分を１フレーム分積算する積算部と、を有していてよい。
【００８０】
（補正の効果）
図９の（ａ）は、液晶表示装置において補正部１３による補正がなされていない場合の画素のソース電位の一例を示す図である。図９の（ｂ）は、液晶表示装置において補正部１３が算出する補正値の一例を示す図である。図９の（ｃ）は、液晶表示装置において補正部１３によってソース電圧が補正された場合の画素のソース電位の一例を示す図である。
【００８１】
補正部１３によるソース電圧の印加値の補正を行わない場合では、画素２０に印加されるソース電圧の、極性反転による変動量が大きくなることがある。このため、図９の（ａ）に示されるように、補正を行わない場合の画素２０のソース電位は、１フレームの終わりに向けて漸次減少することがある。
【００８２】
前述したように、補正部１３は、対象の画素２０のソース電位の過去１フレーム分の積算値と、対象の画素２０のソース電位の１フレーム分の積算値との差を用いて対象の画素のソース電位の変位量を算出することができる。より詳しくは、補正部１３は、過去１フレーム分にわたり、画素２０のソース電位の基準電位（Ｖｓ（ｆ，ｎ））に対する実際のソース電位の変位量を積算値の差によって算出し、この変位量に基づいて上記補正値を算出する。たとえば、前述のように１フレーム間においてソース電位が漸減する場合では、補正部１３は、図９の（ｂ）に示されるような、１フレーム間で漸次増加するソース電圧の印加値を上記補正値として算出する。
【００８３】
このように補正されたソース電圧がソースラインＳ１から画素２０に印加されることにより、１フレーム間における極性反転によるソース電位の漸減が打ち消される。その結果、図９の（ｃ）に示されるような、基準電位と実質的に同じの所期のソース電位が実現される。
【００８４】
前述したように、補正部１３は、対象の画素２０に対して印加されるソース電圧の補正値を算出するための対象の画素２０のソース電位の変位量を、積算値の差により算出する。この積算値の差とは、対象の画素２０の書き込みタイミングを起点としたときの、対象の画素２０のソース電位の過去１フレーム分の積算値と、対象の画素２０のソース電位の１フレーム分の積算値との差である。よって、１フレーム間において当該ソース電位が低下する場合のように、１フレーム間において意図せずに変動するソース電位を所期の電位に維持することができる。
【００８５】
（ソース電位に関する補足事項）
以下、所定の列（例えば一列目）の画素２０における上記変位量を、この変位量と、隣接するソースラインに接続されている（例えば二列目の）画素２０における上記変位量との和によって求める場合について説明する。
【００８６】
たとえば、図７に示されるソースラインＳ１のソース電位の次の１フレームにおける上記変位量は、前述した方法により求められる。ソースラインＳ２のソース電位の上記変位量は、例えば、ｎ行目の画素２０における、一列目の画素２０の隣の画素、すなわち二列目の画素２０におけるソース電位の次の１フレームにおける変位量である。この変位量は、対象となる画素２０およびソースラインが異なる以外は、ソースラインＳ１のそれと同様に求められる。すなわち、ソースラインＳ２におけるソース電圧の変位量は、上記式（１）〜（３）における「ｓ１」を「ｓ２」に代えた式によって表される。
【００８７】
このように、対象（ｎ行、ｍ列）の画素２０のソース電位の次の１フレームにおける変位量は、ｎ行、ｍ列の画素２０のソースラインＳｍによるソース電位の変位量と、ｎ行、ｍ＋１列の画素２０のソースラインＳｍ＋１によるソース電位の変位量との和で求められる。ここで、ｍ、ｎは、いずれも正の整数である。よって、求めるべき変位量を「ΔＶ１（ｎ）」とすると、当該変位量は、下記式（４）によって求めることができる。
【００８８】
【数４】
2019184743.tif 000006
【００８９】
典型的には、垂直電圧積算部３３が、隣り合う二つの画素２０のそれぞれにおける所期の１フレーム分の期間のソース電位の積算値を求める。また、基準電圧積算部３４が、隣り合う二つの画素２０のそれぞれにおける基準となるソース電位の上記期間の積算値を求める。そして、加減算部３５が、上記の積算値の差分を求める。加減算部３５は、必要に応じて、計算による処理を上記積算値に適宜に施す。
【００９０】
このように、対象の画素２０の電位の変位量は、第一の変位量と第二の変位量との和である。第一の変位量は、画素２０の一方側に配置されたソースラインＳ１を対象の画素２０（例えばｍ列目）のソースラインとしたときの積算値の差である。第二の変位量は、対象の画素２０の他方側に配置されたソースラインＳ２を対象の画素２０（例えばｍ＋１列）のソースラインとしたときの積算値の差である。
【００９１】
上記の構成によれば、前述のシングルソースのライン構造における画素に隣接するものの電気的には接続されていないソースラインによる影響、例えば寄生容量、による対象の画素のソース電位の変位量が、より精密に求められる。このため、補正部１３は、より精密な補正値を算出することが可能となる。よって、１フレームの後半（画面の下方）においても所期の高精細な画像を表示する観点からより一層効果的である。
【００９２】
（フレーム反転駆動）
以下、液晶表示装置が、フレーム反転駆動方式により動作するものとして上記方式について説明する。
【００９３】
図１０の（ａ）は、１フレーム反転でソース電圧を印加する液晶表示装置におけるソース電位の、前のフレーム分から次のフレーム分までの期間での変動を模式的に示す図である。図１０の（ｂ）は、図１０の（ａ）のうちの、現時点からその次の１フレーム分までの期間でのソース電位の変動を模式的に示す図である。現在書き込まれている画素２０は、ｆフレームにおけるｎ列目の画素である。ここで、１フレーム分の垂直走査に要する時間は、例えば、毎秒６０フレームのフレームレートとした場合、１／６０秒間という非常に短い時間である。よって、動画、静止画のいずれにおいても、１フレーム前のフレーム（ｆ）におけるソース電位は、その前のフレーム（ｆ−１）のソース電位のよい近似になっている。
【００９４】
前のフレーム（ｆ−１フレーム）のソース電位の積算値σａは、式（５）で表される。また、現フレーム（ｆフレーム）における現画素までのソース電位の積算値σｂは、式（６）で表される。そして、ｎ列目の画素２０における現時点でのソース電位Ｖｎの１フレーム分の積算値σ０は、式（７）で表される。
【００９５】
【数５】
2019184743.tif 000007
【００９６】
【数６】
2019184743.tif 000008
【００９７】
【数７】
2019184743.tif 000009
【００９８】
図１０の（ｂ）に示されるΔｃは、現フレームにおける現時点以降のソース電位における、現時点のｎ列目の画素のソース電位Ｖｎに対する変位量の積算値である。Δｃは、σｃからｎ列以降の画素のＶｎの積算値を引くことによって求められる。前のフレーム（ｆ−１フレーム）のソース電位が現フレーム（ｆフレーム）のソース電位のよい近似となっていることから、図１０の（ａ）より、絶対値では、σｃは、σａからσｂを引いた数値になる。よって、Δｃは、式（８）で表される。
【００９９】
【数８】
2019184743.tif 000010
【０１００】
Δｄは、図１０の（ｂ）より、絶対値では、ｆ＋１フレームにおけるｎ列目の画素のソース電位Ｖｎの積算値から、実際に印加されたソース電位の積算値σｂを引くことにより求められる。
【０１０１】
ここで、フレーム間におけるソース電位の極性の違いに応じて、積算値の符号が適宜に調整される。たとえば、σａは、ｆ−１フレームの値であり、そのソース電位の極性は、ｆフレームにおけるソース電位の極性とは逆である。よって、式（８）では、σａの符号を反転させる。また、Δｄについては、ｆフレームに対してｆ＋１フレームでは極性が反転している。よって、Δｄについては、実際のソース電位の積算値の符号を逆転させる。よって、Δｄは、式（９）で表される。
【０１０２】
【数９】
2019184743.tif 000011
【０１０３】
現フレーム（ｆ＋１フレーム）のｎ行目の画素２０におけるソース電位の変位量は、ΔｃとΔｄの和から求められる。よって、現フレームのｎ行目の画素２０におけるソース電位の変位量は、式（１０）より求められる。
【０１０４】
【数１０】
2019184743.tif 000012
【０１０５】
ソース電位の積算値の変位量の算出は、前述した垂直電圧積算部３３、基準電圧積算部３４および加減算部３５によって行うことが可能である。たとえば、垂直電圧積算部３３は、過去の実際のソース電位の積算値に基づいてσａ、σｂおよびそれらの差分を算出する。基準電圧積算部３４は、ｆフレームのｎ列目の画素におけるソース電位Ｖｎのｆフレームにおける積算値（（４３２０−ｎ）×Ｖｎ）を算出する。そして加減算部３５が、上記の両積算部による算出値へ、必要に応じて極性の反転による符号の逆転処理を施し、式（８）および式（９）のΔｃおよびΔｄを算出し、それらの和を算出する。
【０１０６】
あるいは、上記変位量の算出は、必要に応じて他の構成要素を含む補正部１３によって行うことができる。たとえば、上記変位量の算出は、ソース電位の前述の極性の反転によるソース電位の正負の符号を変更する符号反転部をさらに含む補正部１３によって実施することも可能である。上記符号反転部は、例えば、垂直電圧積算部３３および基準電圧積算部３４と加減算部３５との間にあって、両積算部の算出値のそれぞれの正負の符号を、必要に応じて変更する。
【０１０７】
このように、補正部１３は、連続するフレーム間でソース電位の極性が反転する場合に、極性の反転に応じて上記の積算値の正負の符号を逆転させて用いる。よって、液晶表示装置は、１フレームごとに極性を反転させたソース電圧をソースラインに印加するように構成されている。そして、補正部１３は、前の１フレームのソース電位の積算値を現フレームのソース電位の積算値に置き換えて対象の画素２０のソース電位の変位量を算出している。より簡易に上記変位量を求める観点からより一層効果的である。
【０１０８】
（ブランキング期間）
液晶表示装置に入力される映像信号のフレームレートが変動した場合に、上述したパラメータΔに誤差が生じることを、図１１を参照して説明する。
【０１０９】
図１１は、図１０の（ｂ）に示すソース電位の変動において、ブランキング期間が生じた場合の例を示す図である。
【０１１０】
図１１に示す例においては、液晶表示装置のリフレッシュレートと、入力された映像信号のフレームレートとのずれにより、液晶素子に表示画面の更新の為の電圧を印加しないブランキング期間が生じている。ブランキング期間における電圧Ｖｃｏｍが、Δｃの計算に計上されることにより、パラメータΔの値に誤差が生じる。故に、誤差を含んだ当該パラメータΔを用いて行われたシャドー補正は、表示画面の映像品位をより悪化させる虞がある。
【０１１１】
液晶表示装置は、入力される映像信号に、フレーム間隔が変動し得る映像信号が含まれていると判断した場合、映像信号に対するシャドー補正をオフにすることにより、映像品位の低下を抑制することができる。
【０１１２】
（処理の流れ）
実施形態２において図５を参照して説明した処理の流れを、ディザリング処理をシャドー補正と読みかえることにより、本実施形態に対しても適用できる。
【０１１３】
実施形態１〜３において上述したように、映像処理装置１０は、取得部１２と、補正部１３とを備えた映像処理装置１０であって、取得部１２は映像信号を取得し、補正部１３は、取得部１２が取得した映像信号に、フレーム間隔が変動し得る映像信号が含まれているか否かを判断し、フレーム間隔が変動し得る映像信号が含まれていると判断した場合に、取得部１２が取得した映像信号に対する補正の度合いを弱めるか、又は、取得部１２が取得した映像信号に対する補正をオフにする。
【０１１４】
上記の構成によれば、従来の固定フレームレートにおける映像技術を、可変フレームレートの映像に対して使用した場合の映像品位の低下を抑制できる。
【０１１５】
また、補正部１３が適用する補正処理には、オーバードライブ、ディザリング、及び、シャドー補正の少なくとも何れかが含まれてもよい。
【０１１６】
上記の構成によれば、入力される映像信号に上述した各補正処理を適用している場合において、当該映像信号のフレームレートが変動した場合の映像品位の低下を抑制できる。
【０１１７】
〔実施形態４〕
本発明の第４の実施形態について、以下に説明する。本実施形態においては、上述した実施形態１〜３に適用可能な構成であって、映像処理装置１０が、入力される映像信号のフレームレートの変動を検知する構成について説明する。なお便宜上、上記実施形態にて説明した部材と同じ機能を有する部材については、同じ符号を付記し、説明を省略する。
【０１１８】
（テレビジョン受像機１の構成）
本実施形態においても、図１に示す構成を用いる。ただし、後述する第１の出力方法を用いる場合は、映像処理装置１０が、動画像を格納するフレームメモリを更に備える。
【０１１９】
（処理の流れ）
本実施形態における処理の流れについて、図１２を参照して説明する。図１２は、フレームレートが変動する映像信号の入出力を示す図である。また、図１２（ａ）は、映像処理装置１０に対して入力される映像信号を示す図である。図１２（ａ）に示す通り、当該映像信号は、６０Ｈｚから３０Ｈｚに変動し、３フレーム後に更に６０Ｈｚに変動している。図１２（ｂ）は、入力された当該映像信号の第１の出力方法を示す図である。また、図１２（ｃ）は、入力された当該映像信号の第２の出力方法を示す図である。図１２（ｂ）及び図１２（ｃ）に示す例において、当初出力する６０Ｈｚのフレームレートの映像信号には、補正部１３による何れかの補正処理が随時施されているものとする。
【０１２０】
まず、上述した第１の出力方法について図１２（ｂ）を参照して説明する。第１の出力方法においては、映像処理装置１０から出力する映像信号を、動画像を格納するフレームメモリを用いて１フレーム遅延させる。具体的には、取得部１２は、取得した映像信号をフレームメモリに格納し、次いで補正部１３は、当該映像信号のフレームごとにフレームレートが変動したか否かを判定する。補正部１３は、当該映像信号のフレームレートが３０Ｈｚに変動したことを検知した場合、実施形態１〜３において上述した補正処理の度合いをオフにするか、可能であれば弱める。
【０１２１】
なお、補正部１３は、例えば６０Ｈｚの映像信号のフレームが入力される周期において、入力される映像信号内に、表示画面のリフレッシュレートと同期をとる為の信号が検出できない場合に、フレームレートが変動したと判定してもよい。また、補正部１３は、当該映像信号のフレームレートが再度６０Ｈｚに変動したことを検知した場合、再度元の補正処理を行ってもよい。
【０１２２】
第１の出力方法によれば、図１２（ｂ）の矢印に示すように、映像処理装置１０のリフレッシュレートとは異なるフレームレートのフレームに対して正確に補正処理の変更を適用できる。
【０１２３】
次に、上述した第２の出力方法について図１２（ｃ）を参照して説明する。第２の出力方法においては、フレームを出力する場合に、フレームレートが前フレームから変動したか否かを判定する。補正部１３は、フレームレートの変動を検知した場合、次以降のフレームに対して、実施形態１〜３において上述した補正処理の度合いをオフにするか、可能であれば弱める。また、補正部１３は、当該映像信号のフレームレートが再度６０Ｈｚに変動したことを検知した場合、再度元の補正処理を行ってもよい。
【０１２４】
第２の出力方法は、フレームメモリを用いないため、図１２（ｃ）に示すように、フレームレートの変動を検知するタイミングが第１の出力方法に比べて、半フレーム分ほど遅れるという側面があるが、フレームメモリが不要であり、出力する映像信号の遅延が少なくとも第１の出力方法よりも少ないという利点がある。
【０１２５】
上述したように、補正部１３は、取得部１２が取得した映像信号を参照して、取得部１２が取得した映像信号におけるフレーム間隔の変動を検知してもよい。上記の構成によれば、当該映像信号を参照してフレーム間隔の変動を検知可能な映像処理装置１０を実現できる。
【０１２６】
〔変形例１〕
補正部１３は、取得部１２が取得した映像信号に、フレーム間隔が変動し得る映像信号が含まれているか否かを判定する場合に、当該映像信号に含まれるメタデータ、又は、当該映像信号に付随して取得する映像信号を参照する構成でもよい。
【０１２７】
例えば、上記映像信号をＨＤＭＩ規格に準拠して伝送する場合、メタデータ中にＩｎｆｏＦｒａｍｅに、フレーム間隔が変動し得るか否かを示す識別子を含める構成とし、補正部１３は当該識別子を参照して、フレーム間隔が変動し得る映像信号が含まれているか否かを判定する構成とすることができる。
【０１２８】
このように、補正部１３は、取得部１２が取得した映像信号に含まれるメタデータ、又は、当該映像信号に付随して取得する制御信号を参照して、取得部１２が取得した映像信号に、フレーム間隔が変動し得る映像信号が含まれているか否かを判断する構成でもよい。
【０１２９】
本変形例は、実施形態４に記載の判定処理と組み合わせて用いてもよいし、そうでなくてもよい。実施形態４に記載の判定処理と組み合わせた場合、例えば、上記メタデータ又は制御信号を参照することによって、フレーム間隔が変動し得る映像信号が含まれていると判断した場合に、補正処理の度合いを弱め、更に、実施形態４に記載の判定処理によってフレーム間隔の変動を検知した場合に、補正処理の度合いを更に弱めるか、または０にするといった多段階的な制御を行うこともできる。
【０１３０】
上記の構成によれば、当該メタデータ又は当該制御信号を参照してフレーム間隔の変動を検知可能な映像処理装置１０を実現できる。
【０１３１】
〔変形例２〕
変形例２に係る映像処理装置１０は、補正部１３による補正処理の度合いを設定するユーザ操作を受け付けるユーザ操作受付部を別途備える。上記の構成においては、補正部１３による補正処理の度合いは、ユーザが、上記ユーザ操作受付部を介して、例えば強、中、弱、あるいはオフ等に切り替えることにより、任意に設定可能な構成でもよい。
【０１３２】
このように映像処理装置１０は、取得部１２と、補正部１３と、ユーザ操作受付部とを備えた映像処理装置１０であって、取得部１２は映像信号を取得し、上記ユーザ操作受付部は、補正部１３による補正の度合いに関するユーザ操作を受け付け、補正部１３は、取得部１２が取得した映像信号に対して、上記ユーザ操作が示す補正の度合いで、補正処理を行い、補正部１３による補正処理には、オーバードライブ、ディザリング、及びシャドー補正の少なくとも何れかが含まれる。
【０１３３】
上記の構成によれば、ユーザ操作が示す補正の度合いに応じた、上述した各補正処理を行う映像処理装置１０を実現できる。
【０１３４】
〔変形例３〕
映像処理装置１０は、入力される映像信号が示すコンテンツの種別によって、補正処理の度合いを制御してもよい。例えばアクションゲームやシューティングゲーム等、表示画面内の動きが多いコンテンツである場合には、映像出力装置１００におけるＧＰＵ演算等の映像処理負担が大きく、フレームレートが落ちるものと判断し、補正部１３による補正処理をオフにするか、可能であれば弱めてもよい。つまり映像処理装置１０は、コンテンツの種別に応じて、映像信号に、フレーム間隔が変動し得る映像信号が含まれているか否かを判断してもよい。
【０１３５】
なお、コンテンツの種別の判定方法は、特定の方法に限定されない。例えば、映像処理装置１０が、映像出力装置１００からコンテンツの種別を示す情報を別途取得してもよいし、入力される映像信号が示す映像内における色の変化量からコンテンツの種別を推定してもよい。
【０１３６】
上述したように、補正部１３は、上記映像信号が示すコンテンツの種別に応じて、取得部１２が取得した映像信号に、フレーム間隔が変動し得る映像信号が含まれているか否かを判断してもよい。上記の構成によれば、コンテンツの種別に応じて、フレーム間隔の変動を判断する映像処理装置１０を実現できる。
【０１３７】
本変形例は、実施形態４に記載の判定処理と組み合わせて用いてもよいし、そうでなくてもよい。実施形態４に記載の判定処理と組み合わせた場合、例えば、入力される映像信号が示すコンテンツが、表示画面内の動きが多いコンテンツであって、フレーム間隔が変動し得る映像信号が含まれていると判断した場合に、補正処理の度合いを弱め、更に、実施形態４に記載の判定処理によってフレーム間隔の変動を検知した場合に、補正処理の度合いを更に弱めるか、または０にするといった多段階的な制御を行うこともできる。
【０１３８】
なお、上述した実施形態及び変形例は、他の実施形態又は変形例と組み合わせて実施されてもよい。
【０１３９】
〔ソフトウェアによる実現例〕
映像処理装置１０の制御ブロック（特に取得部１２および補正部１３）は、集積回路（ＩＣチップ）等に形成された論理回路（ハードウェア）によって実現してもよいし、ソフトウェアによって実現してもよい。
【０１４０】
後者の場合、映像処理装置は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１４１】
〔まとめ〕
本発明の態様１に係る映像処理装置は、取得部と、補正部とを備えた映像処理装置であって、上記取得部は映像信号を取得し、上記補正部は、上記取得部が取得した映像信号に、フレーム間隔が変動し得る映像信号が含まれているか否かを判断し、フレーム間隔が変動し得る映像信号が含まれていると判断した場合に、上記取得部が取得した映像信号に対する補正の度合いを弱めるか、又は、上記取得部が取得した映像信号に対する補正をオフにする構成である。上記の構成によれば、従来の固定フレームレートにおける映像技術を、可変フレームレートの映像に対して使用した場合の映像品位の低下を抑制できる。
【０１４２】
本発明の態様２に係る映像処理装置は、上記の態様１において、上記補正部は、上記取得部が取得した映像信号を参照して、上記取得部が取得した映像信号におけるフレーム間隔の変動を検知する構成としてもよい。上記の構成によれば、当該映像信号を参照してフレーム間隔の変動を検知可能な映像処理装置１０を実現できる。
【０１４３】
本発明の態様３に係る映像処理装置は、上記の態様１又は２において、上記補正部は、上記取得部が取得した映像信号に含まれるメタデータ、又は、当該映像信号に付随して取得する制御信号を参照して、上記取得部が取得した映像信号に、フレーム間隔が変動し得る映像信号が含まれているか否かを判断する構成としてもよい。上記の構成によれば、当該メタデータ又は当該制御信号を参照してフレーム間隔の変動を検知可能な映像処理装置１０を実現できる。
【０１４４】
本発明の態様４に係る映像処理装置は、上記の態様１から３の何れかにおいて、上記補正部は、上記映像信号が示すコンテンツの種別に応じて、上記取得部が取得した映像信号に、フレーム間隔が変動し得る映像信号が含まれているか否かを判断する構成としてもよい。上記の構成によれば、コンテンツの種別に応じて、フレーム間隔の変動を判断する映像処理装置１０を実現できる。
【０１４５】
本発明の態様５に係る映像処理装置は、上記の態様１から４の何れかにおいて、上記補正部が適用する補正処理には、オーバードライブ、ディザリング、及び、シャドー補正の少なくとも何れかが含まれる構成としてもよい。上記の構成によれば、入力される映像信号に上述した各補正処理を適用している場合において、当該映像信号のフレームレートが変動した場合の映像品位の低下を抑制できる。
【０１４６】
本発明の態様６に係る映像処理装置は、取得部と、補正部と、ユーザ操作受付部とを備えた映像処理装置であって、上記取得部は映像信号を取得し、上記ユーザ操作受付部は、補正部による補正の度合いに関するユーザ操作を受け付け、上記補正部は、上記取得部が取得した映像信号に対して、上記ユーザ操作が示す補正の度合いで、補正処理を行い、上記補正部による補正処理には、オーバードライブ、ディザリング、及びシャドー補正の少なくとも何れかが含まれる構成である。上記の構成によれば、ユーザ操作が示す補正の度合いに応じた、上述した各補正処理を行う映像処理装置１０を実現できる。
【０１４７】
本発明の態様７に係る映像処理方法は、装置による映像処理方法であって、映像信号を取得する取得ステップと、上記取得ステップにおいて取得した映像信号に、フレーム間隔が変動し得る映像信号が含まれているか否かを判断し、フレーム間隔が変動し得る映像信号が含まれていると判断した場合に、上記取得ステップにおいて取得した映像信号に対する補正の度合いを弱めるか、又は、上記取得ステップにおいて取得した映像信号に対する補正をオフにする補正ステップとを含む方法である。上記の方法によれば、従来の固定フレームレートにおける映像技術を、可変フレームレートの映像に対して使用した場合の映像品位の低下を抑制できる。
【０１４８】
本発明の態様８に係る映像処理装置を備えていることを特徴とするテレビジョン受像機は、上記の態様１から６までの何れかに記載の映像処理装置を備えている構成としてもよい。上記の構成によれば、映像処理装置１０と同様な効果を奏するテレビジョン受像機１を実現できる。
【０１４９】
本発明の態様９に係る制御プログラムは、上記の態様１から６までの何れかに記載の映像処理装置１０としてコンピュータを機能させるための制御プログラムであって、上記コンピュータを取得部１２及び補正部１３として機能させる構成としてもよい。
【０１５０】
本発明の態様１０に係る記録媒体は、態様９に係る制御プログラムを記録したコンピュータ読み取り可能な記録媒体であってもよい。
【０１５１】
本発明の各態様に係る映像処理装置は、コンピュータによって実現してもよく、この場合には、コンピュータを上記映像処理装置が備える各部（ソフトウェア要素）として動作させることにより上記映像処理装置をコンピュータにて実現させる映像処理装置の制御プログラム、およびそれを記録したコンピュータ読み取り可能な記録媒体も、本発明の範疇に入る。
【０１５２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１５３】
１  テレビジョン受像機
１０  映像処理装置
１１  装置制御部
１２  取得部
１３  補正部
１４  テレビ制御部
１５  表示制御部
１６  表示部
２０  画素
３１  入力部
３２  階調電圧変換部
３３  垂直電圧積算部
３４  基準電圧積算部
３５  加減算部
３６  係数乗算部
３７  補正値算出部
３８  補正値加算部
３９  出力部
１００  映像出力装置
【図１】
2019184743.tif 000013
【図２】
2019184743.tif 000014
【図３】
2019184743.tif 000015
【図４】
2019184743.tif 000016
【図５】
2019184743.tif 000017
【図６】
2019184743.tif 000018
【図７】
2019184743.tif 000019
【図８】
2019184743.tif 000020
【図９】
2019184743.tif 000021
【図１０】
2019184743.tif 000022
【図１１】
2019184743.tif 000023
【図１２】
2019184743.tif 000024